(57)【特許請求の範囲】
【請求項１】
柱等の家屋の一部を形成する長尺状部材の内部に空間部を形成し、この空間部内にスピーカユニットが組み込まれ、上記長尺状部材が当該スピーカシステムのキャビネットを構成しているスピーカシステムであって、
上記長尺状部材を、壁面や天井等の平面部分から室内空間側に突出するように取り付け、この長尺状部材の内部の空間部に上記スピーカユニットを１つまたは複数設け、かつ上記スピーカユニットの少なくとも１つを、上記平面部分に対してその正面が平行となるように内蔵した低音出力用のスピーカユニットで構成すると共に、当該低音出力用のスピーカユニットから出力される音を上記長尺状部材の外部まで導く音響迷路と、この音響迷路に導かれた音を上記長尺状部材の外部へ出力する出力ポートとを上記長尺状部材に設け、上記音響迷路を構成する部材に、空気中の微細な物質を吸着する吸着材もしくはマイナスイオンを発生するマイナスイオン発生部材または吸着効果とマイナスイオン発生効果の双方の効果を有する双効果発生部材のいずれかを保持させたことを特徴とするスピーカシステム。
【請求項２】
前記音響迷路の一部または全面に、前記キャビネットを密閉するためのパッキン材兼吸音材を貼付し、このパッキン材兼吸音材の表面または内部に前記吸着材もしくは前記マイナスイオン発生部材または前記双効果発生部材を保持させたことを特徴とする請求項１記載のスピーカシステム。
【請求項３】
前記出力ポートを前記長尺状部材の側面に設け、前記低音出力用のスピーカユニットから前記出力ポートに音が伝わる前記音響迷路を複数設け、当該低音出力用のスピーカユニットの正面または背面から出力された低音が、その複数の音響迷路のうちの一方を伝わり、その反対の面から出力された低音と所望する低音の中心周波数で半波長ずれることで位相が合うように合成されて、その合成音が上記出力ポートから出力されるように上記複数の音響迷路の長さを設定したことを特徴とする請求項１または２記載のスピーカシステム。
【発明の詳細な説明】
【０００１】
【発明の属する技術分野】
本発明は、柱や梁等、家屋の一部を構成する長尺状部材を利用した、消臭・脱臭効果等を有するスピーカシステムに関する。
【０００２】
【従来の技術】
従来から、室内の任意の場所に脱臭剤等の吸着材を備えた空気清浄装置を設けることによって、室内のいやな匂いの原因となったり、身体の健康に悪影響を及ぼすこととなる、室内に浮遊する化学物質等を取り除いている。また、最近では、建造物の建築素材自体に、化学物質の吸着効果を有する吸着剤を練り込んだり染み込ませたり等しているものもある。
【０００３】
また、車内等においては、車内の空気を清浄化するためにイオン発生用の装置や芳香剤等を、空気の流れがあるエアコンの送風吹き出し口付近に設置しているものもある（特開２０００−５５４００号公報参照）。
【０００４】
また、室内据え置き型の大型のスピーカの出力ポート付近にイオン発生器や芳香剤等を取り付けて、スピーカに音の出力以外の目的である室内の空気の清浄化という目的を併せ持たせた装置もある（特開平７−１９４７１３号公報参照）。
【０００５】
【発明が解決しようとする課題】
しかし、上述した各空気清浄方法では、以下のような各種の問題がある。すなわち、脱臭剤等の吸着剤を備えた空気清浄装置を室内の任意の場所に設置する場合は、室内に当該空気清浄装置を設置するための場所を必要とする。そのため、室内空間を有効に使用できないという問題がある。加えて、室内において、設置された空気清浄装置の存在が目立ってしまうという問題もある。
【０００６】
なお、吸着剤を直接室内の内壁に貼り付けたり、あるいは内壁に練り込む等した場合、設置場所がとられるという問題は生じない。しかし、空気の流れや振動等がほとんどない位置へ、脱臭剤等の吸着剤を備えただけの構成のものを配置すると、吸着材の吸着効果は少ない。すなわち、空気の流れのある場所や振動が発生する場所に、吸着材を設置しないと、装置自体の吸着効果が半減する。
【０００７】
そこで、上述したように、空気の流れのあるエアコンの吹き出し口や、音波の移動および振動が発生するスピーカの出力ポート付近に、イオン発生器や芳香剤等の空気清浄用装置を設置する方法も考えられる。これらの方法によれば、空気の流れ等により、吸着材に対して適度に圧力がかかるため、吸着材に対して圧力がかかる状況下でない場合に比して、吸着効果が高くなる。しかし、この種の装置は、やはり設置場所を必要とするため、設置スペースの問題は発生する。また、イオン発生器等の装置をスピーカ内やエアコン内に内蔵する場合は、スピーカやエアコン等の装置が大型化してしまう。
【０００８】
なお、室内にスピーカを設置する場合、空気清浄効果のあるなしに関わらず、設置場所を必要とし床面積の一部がスピーカにとられてしまう。そこで、室内の空間を有効に利用するために、スピーカを室内の床に置かずに、天井から吊したり、スピーカ本体を壁や天井に埋め込んだりするものも知られている。
【０００９】
しかし、上述した各タイプのスピーカでは、低音の再生が十分とは言えない。すなわち、従来の天井吊し型のスピーカの場合、天井の高さによってはスピーカが邪魔になるので、大型のスピーカを吊せないという問題がある。加えて、天井の強度が弱い場合も同様に、大型のスピーカを吊せない。このため、低音の再生に適さない小型のスピーカを天井から吊さなければならず、低音の再生を効率よく行うことが出来ない。
【００１０】
また、従来の壁埋め込み型のスピーカの場合、その埋め込まれた空間内でキャビティをきちんと取れないものが多い。このため、やはり低音の再生が効率よくできない。
【００１１】
そこで、本発明は、室内において設置スペースを特別に必要とせず、かつ低音再生時の出力効率が良好なスピーカシステムであって、かつ室内に於いて目立たず空気清浄効果も良好なスピーカシステムを提供することを目的とする。
【００１２】
【課題を解決するための手段】
かかる目的を達成するため、本発明は、柱等の家屋の一部を形成する長尺状部材の内部に空間部を形成し、この空間部内にスピーカユニットが組み込まれ、長尺状部材が当該スピーカシステムのキャビネットを構成しているスピーカシステムであって、長尺状部材を、壁面や天井等の平面部分から室内空間側に突出するように取り付け、この長尺状部材の内部の空間部にスピーカユニットを１つまたは複数設け、かつスピーカユニットの少なくとも１つを、平面部分に対してその正面が平行となるように内蔵した低音出力用のスピーカユニットで構成すると共に、当該低音出力用のスピーカユニットから出力される音を長尺状部材の外部まで導く音響迷路と、この音響迷路に導かれた音を長尺状部材の外部へ出力する出力ポートとを長尺状部材に設け、音響迷路を構成する部材に、空気中の微細な物質を吸着する吸着材もしくはマイナスイオンを発生するマイナスイオン発生部材または吸着効果とマイナスイオン発生効果の双方の効果を有する双効果発生部材のいずれかを保持させたスピーカシステムとしている。
【００１４】
また、他の発明は、上述のスピーカシステムにおいて、音響迷路の一部または全面に、キャビネットを密閉するためのパッキン材兼吸音材を貼付し、このパッキン材兼吸音材の表面または内部に吸着材もしくはマイナスイオン発生部材または双効果発生部材を保持させている。
【００１５】
また、他の発明は、上述のスピーカシステムにおいて、出力ポートを長尺状部材の側面に設け、低音出力用のスピーカユニットから出力ポートに音が伝わる音響迷路を複数設け、当該低音出力用のスピーカユニットの正面または背面から出力された低音が、その複数の音響迷路のうちの一方を伝わり、その反対の面から出力された低音と所望する低音の中心周波数で半波長ずれることで位相が合うように合成されて、その合成音が出力ポートから出力されるように複数の音響迷路の長さを設定している。
【００１６】
【発明の実施の形態】
以下、本発明に係るスピーカシステムの実施の形態を、図面に基づいて詳細に説明する。
【００１７】
図１は、壁面や天井等の平面部分に対して突出するように取り付けられる長尺状部材となる飾り柱１を示す斜視図である。本実施の形態では、飾り柱１は、長手方向の長さ（＝高さ（図１における上下方向の寸法））Ｌ１が２４００ｍｍ、幅Ｌ２が２０２ｍｍ、奥行きＬ３が５５ｍｍの長方体のリサイクル材で構成されている。飾り柱１の内部には、空間部（空洞）１ａ（図２参照）が形成されている。図１における紙面奥側の面が、室内の壁面や天井面等の平面部分（図示省略）に固定されることにより、飾り柱１は、その平面部分から室内空間側（図１における紙面手前側）へ突出するように取り付けられる。
【００１８】
この平面部分への取り付け状態において、平面部分の一方の側面部分、すなわち平面部分に直交する第１の木口部（図１における左側の側面部）２ａには、長手方向における両端近傍のそれぞれ１つの孔５，５、および中央近傍の孔６，６からなる、計４つの孔であって、当該飾り柱１の内部の空間部１ａへ通じる孔が設けられている。また、平面部分の他方の側面部分となる平面部分に直交する第２の木口部（図１における右側の側面部）２ｂには、長手方向における中央近傍であって上述の孔６，６と反対となる位置に、２つの孔であって当該飾り柱１の内部の空間部１ａへ通じる孔６，６が設けられている。
【００１９】
本実施の形態では、飾り柱１の第１の木口部２ａの長手方向両端近傍に設けられた２つの孔５，５が、後述する低音出力用のスピーカユニット４から出力される音を、空間部１ａから外部へ放出するための出力ポートとなっている（以下、孔５を出力ポート５という）。また、本実施の形態では、飾り柱１の第１及び第２の木口部２ａ，２ｂにそれぞれ２つずつ設けられた計４つの孔６が、後述する各中高音出力用のスピーカユニット３の音を出力させるための開放部位である開口部となっている（以下、孔６を開口部６という）。
【００２０】
図２は、スピーカユニット３，４が組み込まれた長尺状部材となる飾り柱１の内部構造の一部（図１に示した飾り柱１の下半分）を示したもので、下方部分は壁側に接する平板状の部材１ｂ（図３参照）を取り外して壁側から示した平面図、その部分より上方部分は断面図で示されている。なお、図２における上端近傍部分は、図１の長手方向（図１における上下方向）における中央近傍である。図２に示すように、飾り柱１の空間部１ａの長手方向における中央近傍には、２つの中高音出力用のスピーカユニット３，３が取り付けられている。
【００２１】
各中高音出力用のスピーカユニット３は、それぞれ上述の開口部６からスピーカのコーンが外部に向うように配置され、当該開口部６にネジ止め固定されている。なお、各中高音出力用のスピーカユニット３は、空間部１ａ内で枠によってさらに仕切られた小さな空間内に配置され、その小さな空間内でキャビティを含めて構成されている。なお、この実施の形態では、開口部６に面するようにネットが張られ、スピーカのコーンにゴミ等が付着するのを防止しているが、コーンを露出するように設けたり、開口部６を格子状の部材で構成するようにしても良い。
【００２２】
中高音出力用のスピーカユニットに関して、この図２においては、当該図２の上端近傍に取り付けられた２つの中高音出力用のスピーカユニット３，３のみを示しているが、これらの中高音出力用のスピーカユニット３，３の上部にさらに図２に示す２つの中高音出力用のスピーカユニット３，３と同様な構成を有する図示しない２つの中高音出力用のスピーカユニット３，３が図２に示す状態で取り付けられている。すなわち、両木口部２ａ，２ｂの長手方向の中央近傍にそれぞれ２つずつ設けられた開口部６，６からそれぞれそのコーンが外部に向けられて計４つの中高音出力用のスピーカユニット３が取り付けられている。
【００２３】
各中高音出力用のスピーカユニット３は、細長い、いわゆるトラック型のスピーカで構成されており、幅（図２における上下の幅）が１１０ｍｍ、奥行き（図２における左右方向の幅）が４０ｍｍ、高さ（図２の右側に配置されたスピーカユニット３における右端部分の紙面奥行き方向の寸法、および図２の左側に配置されたスピーカユニット３における左端部分の紙面奥行き方向の寸法）が３０ｍｍとなっている。また、各中高音出力用のスピーカユニット３は、水平方向に隣接する２つのスピーカユニット３の一方（この実施の形態では図２の左側に配置されているスピーカユニット３）がＬ信号、他方（この実施の形態では図２の右側に配置されているスピーカユニット３）がＲ信号を出力することでステレオのＬＲ信号が再生できるように取り付けられており、平面部分と平行方向でかつ水平方向（図２の矢示Ｘ、Ｘ’方向参照）に音を出力するようになっている。
【００２４】
このため、従来の壁埋め込み型のスピーカの場合、平面部に対して略垂直となる方向に音が出力されるのに対し、この実施の形態のスピーカシステムは、音が飾り柱１の側方に平面部分に沿って出力されることとなる。さらに、後述するように、各中高音出力用のスピーカユニット３は、指向性が広いため、平面部分に対して垂直となる方向、すなわち平面部分から室内空間側に向かう方向（前方）にも音を出力する。この結果、室内のどこに対しても、ほぼ均一かつ確実に音を再生することが可能となる。
【００２５】
また、図２に示すように、飾り柱１の空間部１ａの長手方向における両端近傍には、それぞれ低音出力用のスピーカユニット４が取り付けられている。この図２においては、当該図２の下端近傍に取り付けられた１つの低音出力用のスピーカユニット４のみが示されているが、図示しない上端近傍にも同様な状態で同様な低音出力用のスピーカユニット４が取り付けられている。
【００２６】
この低音出力用のスピーカユニット４は、反発磁気回路を用いた、いわゆるダイレクトドライブ方式（ボイスコイルにボビンを介さずに直接振動板が接着されている方式）のもので、正面側が直径約１６０ｍｍの円形状で、厚さが約２５ｍｍとなる本体部を備えているものである。
【００２７】
図３は、図２のＩＩＩ−ＩＩＩ断面図である。図３に示すように、この低音出力用のスピーカユニット４は、飾り柱１の突出方向における厚さ（図３における上下の幅）の中に、スピーカユニット４の正面（図３における上方側）が平面部分（壁側方向）を向くように内蔵されている。
【００２８】
スピーカユニット４は、中央部分に２つのマグネット４ａ，４ａを上下方向に重ねて配置している。これらのマグネット４ａ，４ａは、磁性材であるセンタープレート４ｃを挟んで互いに同極（例えば、Ｎ極）が向かい合うようにして、十字状のフレーム４ｄの中心部分にネジや接着等を利用して固定されている。
【００２９】
センタープレート４ｃの外周には、ボビンレスのドーナツ状のボイスコイル４ｂが配置されている。このボイスコイル４ｂの外周部中央には、当該ボイスコイル４ｂの巻き幅（図３における上下方向の幅）内の範囲におさまる厚みの振動板４ｅの円形内周部分が固着されている。さらに、この振動板４ｅの外周部には、サスペンションとして作用するエッジ４ｆの内周部分が接合され、このエッジ４ｆの外周部分が絶縁部材を介してフレーム４ｄの最外周部に形成されたフランジ４ｄ１に固定されている。
【００３０】
このように構成された低音出力用のスピーカユニット４の最外周部分、すなわちフレーム４ｄのフランジ４ｄ１の部分は、当該フランジ４ｄ１のさらに外側に設けられたリング状の枠体１１に保持されている。そして、フランジ４ｄ１の外周部分と枠体１１の内側とによって形成された段部が、飾り柱１の内側に固定された本体固定部７の内周にはまり込むように構成されている。このスピーカユニット４は、その構成上、当該スピーカユニット４の表裏双方（図３における上下両方向）に音が出力されるようになっている。
【００３１】
枠体１１の図３における下端部分およびフレーム４ｄの図３における下面部分は、飾り柱１の空間部１ａを構成する部材の図３における上面に当接している。なお、本体固定部７の図２における上端部分の右側部分には、低音出力用のスピーカユニット４の図２における紙面手前側で壁側（スピーカユニット４の正面側）に出力された低音をキャビティ内の第１の音響迷路８ａに導く（図２において音の出力方向を矢印Ｃ１で示す）ためでかつ直接に第２の音響迷路８ｂへ入り込むのを阻止するための第１のガイド壁９ａが図２における紙面手前側に突出するように設けられている。また、本体固定部７の図２における上端部分の左側部分には、低音出力用のスピーカユニット４の図２における紙面奥側（スピーカユニット４の背面側）に出力された低音をキャビティ内の第２の音響迷路８ｂに導く（第２において音の出力方向を矢印Ｃ２で示す）ためでかつ直接に第１の音響迷路８ａへ直接入り込むのを阻止するための第２のガイド壁９ｂが図２における紙面奥側に突出するように設けられている。
【００３２】
すなわち、スピーカユニット４により構成される低音出力用のスピーカシステムは、空間部１ａ内をさらに枠で仕切った２つの空間に分割されている。大別すると、低音出力用のスピーカシステムの内部は、当該スピーカユニット４を保持する空間部（本体固定部７を備えた図２における下側部分）と、スピーカユニット４から出力された音を出力ポート５へ導くための音響迷路８ａ，８ｂに分けられている。
【００３３】
音響迷路８ａ，８ｂは、キャビティ（空洞）の内壁と、仕切り板１２と、ガイド壁９ａ，９ｂによって形成された音の伝わるルートである。スピーカユニット４の正面（図２においては紙面手前側の面）側へ出力された低音は、スピーカユニット４から出力ポート５まで音響迷路８ａを通り、次に音響迷路８ｂを通りほぼ１周するように周回して伝播する。図２中の矢印Ｃ１は、スピーカユニット４の正面側（壁側）へ出力された低音の伝播経路を示している。
【００３４】
一方、スピーカユニット４の背面（図２においては紙面奥側の面）側へ出力された低音は、スピーカユニット４から出力ポート５まで直線的に伝播する。図２中の矢印Ｃ２は、スピーカユニット４の背面側（室内空間側）へ出力された低音の伝播経路を示している。
【００３５】
すなわち、スピーカユニット４の正面側へ出力された低音と、スピーカユニット４の背面側へ出力された低音とは、別の経路（Ｃ１，Ｃ２）を通って出力ポート５に到達し、出力ポート５の近傍で合成される。なお、音響迷路８ａ，８ｂの長さは、上述の両経路Ｃ１，Ｃ２を通ってきた各低音が、所望する低音の中心周波数で半波長ずれて位相が合うように設定されている。すなわち、両経路Ｃ１，Ｃ２を通る各低音の周波数の位相を合わせることにより、音波を打ち消し合わず互いに増幅するように設定されている。本実施の形態では、約１３０Ｈｚを所望の中心周波数とするように、経路Ｃ１と経路Ｃ２との差が約１３０ｃｍ（≒半波長）に設定されている。
【００３６】
より具体的には、スピーカユニット４の正面側に出力され経路Ｃ１を通る長さ（経路Ｃ１におけるスピーカユニット４から出力ポート５までの長さ）は、約１６０ｃｍに設定されている。また、スピーカユニット４の背面側に出力され経路Ｃ２を通る長さ（経路Ｃ２におけるスピーカユニット４から出力ポート５までの長さ）は、約３０ｃｍに設定されている。したがって、両経路Ｃ１，Ｃ２の長さの実質的な差は約１３０ｃｍとなる。
【００３７】
これによって、両経路Ｃ１，Ｃ２をそれぞれ通って出力ポート５から出力される低音は、設定された周波数の前後の音を有効に使ったものとなる。加えて、合成された低音は、出力ポート５を経てから外部へ出力されるので、出力ポート５とキャビティによる共振周波数を、上述の中心周波数（約１３０Ｈｚ）に合わせることにより、出力としてロス無く取り出すことができる。それと同時に、その前後の周波数もそれほど減少することなく出力される。
【００３８】
ここで、低音については指向性が広いので、飾り柱１のどこから出ても周波数特性上問題なく聴取できる。すなわち、低音出力用のスピーカユニット４からの低音は、出力ポート５から第１の木口部２ａの外側に向けて出力されるが、指向性が広いため室内全域に音が行き渡り、室内のどこでも周波数特性上問題なく聴取できるようになっている。本実施の形態では、出力ポート５を飾り柱１の第１の木口部２ａの長手方向（上下方向）両端に設けたが、その長手方向中央付近に設けても良い。
【００３９】
上述のスピーカシステムにおいて、中高音出力用のスピーカユニット３，３からの音が少なくとも２方向以上の木口部２ａ，２ｂから出力されるように構成しているため、１方向の場合に比して音の広がりがさらに向上する。
【００４０】
上述のスピーカシステムにおいて、複数のスピーカユニットのうちの少なくとも１つを、平面部分に対してその正面が平行となるように内蔵された低音出力用のスピーカユニット４としているので、家屋の一部を利用したスピーカシステムにおいて、従来にはない低音再生に適したものとなる。
【００４１】
また、上述の音響迷路８ａ，８ｂを構成する部材（飾り柱１、第１および第２のガイド壁９ａ，９ｂおよび仕切り１２）には、その内壁の表面に当該音響迷路８ａ，８ｂを外界と密閉する密閉用のパッキン材を兼ねた吸音材１０が貼付されている。この吸音材１０の表面には、空気中に浮遊する微細な化学物質を吸着する効果、およびマイナスイオンを発生する効果の２つの効果を有するトルマリン粉末が塗布されている。
【００４２】
トルマリンは、圧力や張力を加えると電気（圧電気＝ピエゾ電気）を生じる性質がある。トルマリンには、それ自体に極性があり、熱や圧力等の外的な刺激を与えると、プラスとマイナスに分極して周囲の空気を陰イオン化する。したがって、音響迷路８ａ，８ｂ内の吸音材１０にトルマリン粉末を塗布しておくことにより、出力された音波および空気の流れによってトルマリン粉末が刺激を受けて音響迷路８ａ，８ｂ内を通過する空気を陰イオン化する。
【００４３】
なお、従来、上述したように、出力ポート付近にイオン発生器等を配置するものもあった。しかし、本実施の形態のスピーカシステムでは、マイナスイオンを発生させるトルマリン粉末を出力ポート付近のみでなく、音響迷路８ａ，８ｂを構成する部材の全面に配置することができるため、従来に比して大きな面積に塗布されたトルマリンが大量のマイナスイオンを発生することとなり、化学物質の吸着効果およびイオン発生効果は大きい。
【００４４】
また、上述の実施の形態では、音響迷路８ａ，８ｂと外界とを密閉するパッキン材を兼ねた吸音材１０の表面にトルマリン粉末が塗布されているため、特別な装置をスピーカシステム内に設ける必要が無く、スピーカシステムが大型化することはない。
【００４５】
なお、イオン発生効果のあるトルマリンを音響迷路８ａ，８ｂを構成する部材の全面ではなく、音響迷路８ａ，８ｂを構成する部材の全面積の約５０％程度、あるいはそれ以上に配置することでもイオン発生効果等は相当に高まる。
【００４６】
また、本実施の形態では、トルマリン粉末が塗布された吸音材１０を音響迷路８ａ，８ｂの内壁に貼付したが、キャビネットを構成する飾り柱１（長尺状部材）の外面や内面や仕切り板１２に直接塗布しても良い。また、塗布ではなく、トルマリンを吸音材１０もしくは飾り柱１の内壁および仕切り板１２等に練り込んだり染み込ませるように構成しても良い。
【００４７】
上述のスピーカシステムにおいては、低音出力用のスピーカユニット４から側面部分に設けた出力ポート５に音が伝わる音響迷路を複数設け、その複数の音響迷路のうちの一方を伝わる低音が、他方を伝わる低音と所望する低音の中心周波数で半波長ずれて位相が合うように合成されて、その合成音が出力ポート５から出力されるように複数の音響迷路の長さを設定されているので、より効率よく低音の出力を行うことができる。
【００４８】
なお、上述の実施の形態は、本発明の好適な実施の形態の例であるが、これに限定されるものではなく、本発明の要旨を逸脱しない範囲において種々変形実施可能である。例えば、上述の実施の形態では、吸着材として吸着効果とイオン発生効果の少なくとも２つの効果を備えたトルマリンを吸音材１０の表面に塗布している。しかし、吸着材は活性炭等、他のものでも良い。また、吸着効果もしくはイオン発生効果のいずれかの効果のみを持たせた部材を吸音材１０に塗布するようにしても良い。
【００４９】
なお、吸着効果を予め備えた部材に、マイナスイオンを発生させることが可能な部材を一緒に練り込んで、吸着材として使用するように構成しても良い。
【００５０】
また、上述の実施の形態では、各スピーカユニット３，４を組み込む長尺状部材として、室内の平面部分から突出するように取り付けられた飾り柱１を採用したが、室内の平面部分から突出して取り付けられる長尺状部材であれば、梁や間仕切りのようなものでも良い。また、強度の面で言えば、長尺状部材の中の空間部にスピーカユニットを設ければ良いので、長尺状部材を平面部分から必ずしも突出させる必要はない。
【００５１】
また、上述の実施の形態では、中高音出力用のスピーカユニット３を計４つ、低音出力用のスピーカユニット４を計２つ飾り柱１の空間部１ａに組み込んだが、これらの数に限定されるものではない。中高音出力用のスピーカユニット３の数を３つ以下、あるいは５つ以上としても良いし、低音出力用のスピーカユニット４の数を１つあるいは３つ以上としても良い。また、いずれか一方の種類のスピーカユニット、すなわち中高音出力用のスピーカユニット３のみもしくは低音出力用のスピーカユニット４のみが飾り柱１の空間部１ａに組み込まれるように構成されていても良い。
【００５２】
また、上述の実施の形態では、中高音出力用のスピーカユニット３は、飾り柱１の両側面となる両木口部２ａ，２ｂの所定位置に設けられた開口部６，６からスピーカのコーンが外部を向くようにそれぞれ設けられ、音が飾り柱１の両側に平面部分に沿うように出力されるように構成されている。しかし、中高音出力用のスピーカユニット３からの音を、いずれか一方の木口部（２ａもしくは２ｂ）から外部に出力させるように構成しても良い。
【００５３】
また、上述の実施の形態では、低音出力用のスピーカユニット３からの音を外部へ出力させるための出力ポート５を一方の木口部２ａのみに設けたが、出力ポート５を飾り柱１の前面および他方の木口部２ｂに設けても良い。さらに、２つ設けられた低音出力用のスピーカユニット４のうちの一方からの低音を、木口部２ａから出力し、他方からの低音を木口部２ｂから出力させるようにしても良い。
【００５４】
【発明の効果】
以上説明したように、本発明によれば、家屋の一部を形成する長尺状部材を有効活用し、十分な強度とし低音再生に適した大型のスピーカにも適用できると共に、室内に於いて目立たずしかも空気清浄効果も良好なスピーカシステムを得ることができる。
【図面の簡単な説明】
【図１】本発明の実施の形態のスピーカシステムの一部を構成する長尺状部材の外観を示す斜視図である。
【図２】図１の長尺状部材の内部構造の一部を示す図で、下側部分は壁（平面）側に配置される部材を取り外した状態で壁側から示した平面図、その部分より上方部分は壁側から見た断面図である。
【図３】図２のＩＩＩ−ＩＩＩ断面図である。
【符号の説明】
１  飾り柱（長尺状部材）
１ａ  空間部
２ａ，２ｂ  木口部
３  中高音出力用のスピーカユニット
４  低音出力用のスピーカユニット
５  出力ポート
６  開口部
８ａ，８ｂ  音響迷路
９ａ  第１のガイド壁（音響迷路を構成する部材の一部）
９ｂ  第２のガイド壁（音響迷路を構成する部材の一部）
１０  吸音材
１２  仕切り（音響迷路を構成する部材の一部）
【図１】
0003770598.tif 000002
【図２】
0003770598.tif 000003
【図３】
0003770598.tif 000004